(57)【要約】【課題】本発明は、小さくて軽く片手や両手で持って簡単に操作することができ、また、パソコンの本体から離れた位置からワイヤレスでキーの入力・カーソル操作を行うことができるとともにスクロール機能も兼ね備えた、ワイヤレス操作に便利なパソコン用手持ち式入力キーボードを提供する。【解決手段】電力供給回路が内蔵される。パソコン本体と対向する前方縁内には、ワイヤレス信号をキーボードのケースから通して送信するためのワイヤレス信号発射装置が内蔵され、入力キーボードの両側は手持ち部を形成し、両手の親指で操作されるキーボードの表面には、最も基本的な機能が割り当てられたキーが設けられ、入力キーボード裏側における両手の人差し指や中指が触れる箇所には、指先でパソコンのカーソルを操作するためのフラットポイントが設けられる。【選択図】図１
2011227801.tif 000002
【特許請求の範囲】
【請求項１】
電力供給回路が内蔵されたワイヤレス操作に便利なパソコン用手持ち式入力キーボードにおいて、
パソコン本体と対向する前方縁内には、ワイヤレス信号を入力キーボードのケースから通して送信するためのワイヤレス信号発射装置が内蔵され、
入力キーボードの両側は、入力キーボードの中段より縦に長く且つ下方へとアーチ状を呈し且つ前方縁に向かってカーブを描きつつ徐々に幅が小さくなり先端は突出する手持ち部を形成し、
両手の親指で操作されるキーボードの表面には、最も基本的な機能が割り当てられたキーが設けられ、入力キーボード裏側における両手の人差し指や中指が触れる箇所には、マウスと同様の機能をもち、指先でパソコンのカーソルを操作するためのフラットポイントが設けられることを特徴とする、ワイヤレス操作に便利なパソコン用手持ち式入力キーボード。
【請求項２】
前記電力供給回路は、充電電池と、充電制御回路とによってなり、充電制御回路には、外部のパソコン本体のＵＳＢポートに接続して充電するためのＵＳＢコネクタが設けられ、ＵＳＢコネクタは、前記入力キーボード表面の適切な位置に露出されるとともに、パソコン本体のＵＳＢポートの電源に接続されて充電電池の充電を行うことを特徴とする、請求項１に記載のワイヤレス操作に便利なパソコン用手持ち式入力キーボード。
【請求項３】
前記手持ち部の外側の中央には、弧状に凹んだ支持溝部が設けられることを特徴とする、請求項１に記載のワイヤレス操作に便利なパソコン用手持ち式入力キーボード。
【請求項４】
前記手持ち部の前縁には、複数のファンクションキーと、左クリックキーと、右クリックキーとが設けられることを特徴とする、請求項１に記載のワイヤレス操作に便利なパソコン用手持ち式入力キーボード。
【請求項５】
前記キーの全てのキー面には薄膜が設けられ、キー面の表層は電子透光膜であり、特定のキーを押すと全てのキー面が点灯し、キー面上の文字コードや符号が明るくなることを特徴とする、請求項１に記載のワイヤレス操作に便利なパソコン用手持ち式入力キーボード。
【請求項６】
前記フラットポイントはパソコンのマウスの代わりになり、前記フラットポイントによってキーボードをひっくり返すことなくパソコンのカーソルの操作を行うことを特徴とする、請求項１に記載のワイヤレス操作に便利なパソコン用手持ち式入力キーボード。
【請求項７】
前記フラットポイントの適切な位置には、パソコンのマウスと同様のスクロール機能領域が設けられることを特徴とする、請求項１に記載のワイヤレス操作に便利なパソコン用手持ち式入力キーボード。
【請求項８】
前記フラットポイントは複数クリック制御の機能を具えることを特徴とする、請求項１に記載のワイヤレス操作に便利なパソコン用手持ち式入力キーボード。
【発明の詳細な説明】
【技術分野】
【０００１】
本発明はワイヤレス操作に便利なパソコン用手持ち式入力キーボードに関し、特に、小さくて軽く片手や両手で持って簡単に操作することができ、また、パソコンの本体から離れた位置からワイヤレスでキーの入力・カーソル操作を行うことができるとともにスクロール機能も兼ね備えた入力キーボードに関する。
【背景技術】
【０００２】
キーボードは、パソコンの基本的且つ最も重要な入力装置である。キーボードを操作することにより、パソコンのシステムに指令を送り、目的の作業を行う。現在では、さらに、マウスや、マウスと同等の機能をもつフラットポイントにより、カーソルの移動やクリックを行い、非アクティブウィンドウの選択やブラウザのスクロールの操作を行うため、キーボードと併せてパソコンの標準的な入力装置となっている。
【０００３】
家でパソコンを頻繁に使う者は、パソコンもテレビを見るのと同じように、ソファーに腰掛けて、或いは布団に寝転んで、リラックスした状態で画面から離れてパソコンを操作したいと考えている。そのほうか、目にもよく、大画面のモニターを購入し楽しむこともできるようになる。このような理想を達成するために、現在デスクトップ型パソコンにはワイヤレスキーボードやワイヤレスマウスが登場しており、遠距離のワイヤレス操作により、パソコンデスクから離れて操作を行うことを可能にしている。しかしながら、現在のワイヤレスキーボードとワイヤレスマウスは大きすぎるため、片手でもって移動させるのに不便であり、ノート型パソコンのキーボードのサイズでワイヤレスキーボードを作ってもまだ大きすぎる。一方、もしキーボードのキーを、携帯電話のキーと同じくらい小さくした場合、携帯電話より複雑なパソコンの操作を行うのは難しい。従って、一般のリモコンのように片手で手軽に移動させることができ、キーの操作もしやすい、軽くて小さいパソコン用の入力装置にはまだほと遠い。
【発明の概要】
【発明が解決しようとする課題】
【０００４】
そこで、本発明は、小さくて軽く片手や両手で持って簡単に操作することができ、また、パソコンの本体から離れた位置からワイヤレスでキーの入力・カーソル操作を行うことができるとともにスクロール機能も兼ね備えた、ワイヤレス操作に便利なパソコン用手持ち式入力キーボードを提供することを目的とする。
【課題を解決するための手段】
【０００５】
本発明によるワイヤレス操作に便利なパソコン用手持ち式入力キーボードは、電力供給回路が内蔵される。パソコン本体と対向する前方縁内には、ワイヤレス信号をキーボードのケースから通して送信するためのワイヤレス信号発射装置が内蔵され、入力キーボードの両側は、入力キーボードの中段より縦に長く且つ下方へとアーチ状を呈し且つ前方縁に向かってカーブを描きつつ徐々に幅が小さくなり先端は突出する手持ち部を形成する。また、両手の親指で操作されるキーボードの表面には、最も基本的な機能が割り当てられたキーが設けられ、まずキー定義の切り替えキーを押して複合キーで入力される内容を切り換えることにより、或いは、複数のキーを組み合わせて別のキー制御機能をもたせる方式により、最も少なく最も基本的なキーの数量で、キーが入力できる数字、記号、或いは文字コード等をカバーし、それによりキーの大きさを携帯電話のボタンのように小さくしないまま、キーボード全体を小さく且つ軽くすることができる。キーボード裏側における両手の人差し指や中指が触れる箇所には、キーボードをひっくり返すことなく指先でパソコンのカーソルを操作するためのフラットポイントが設けられ、マウスで操作をする必要がなくなる。フラットポイントは、ワンクリック制御或いは複数クリック制御によって操作することができる。また、フラットポイントにおける指で操作するのに便利な位置には、パソコンのマウスと同様のスクロール機能領域が設けられる。
【０００６】
電力供給回路は、充電電池と、充電制御回路とによってなり、充電制御回路にはパソコン本体のＵＳＢポートに接続して充電するためのＵＳＢコネクタが設けられ、ＵＳＢコネクタは、入力キーボードの表面に露出されるとともに、パソコン本体のＵＳＢポートの電源に接続されて、充電電池の充電を行う。
【０００７】
手持ち部の外側の中央には、弧状に凹んだ支持溝部が設けられ、両手の人差し指や中指で掴むのに、及び両手の人差し指や中指をフラットポイントまで伸ばすのに便利である。
【０００８】
キーの全てのキー面には薄膜が設けられており、キー面の表層は電子透光膜であり、特定のキーを押すと全てのキー面が点灯し、キー面上の文字コードや符号が明るくなり、暗い場所で作業する際にキー面をはっきり見ることができ、正確にキーを押すことができる。
【図面の簡単な説明】
【０００９】
【図１】本発明のワイヤレス操作に便利なパソコン用手持ち式入力キーボードの俯瞰図である。
【図２】本発明のワイヤレス操作に便利なパソコン用手持ち式入力キーボードを後方から見た斜視図である。
【図３】本発明のワイヤレス操作に便利なパソコン用手持ち式入力キーボードを背面から見た斜視図である。
【図４】本発明のワイヤレス操作に便利なパソコン用手持ち式入力キーボードの側面図である。
【図５】本発明のワイヤレス操作に便利なパソコン用手持ち式入力キーボードの一つ目の操作方法を示した説明図である。
【図６】本発明のワイヤレス操作に便利なパソコン用手持ち式入力キーボードの二つ目の操作方法を示した説明図である。
【発明を実施するための形態】
【００１０】
図１は本発明の俯瞰図であり、図２は本発明を後方から見た斜視図であり、図３は本発明を背面から見た斜視図であり、図４は本発明の側面図である。図１から図４に示すように、本発明による入力キーボード１０は、電力供給回路１１が内蔵される。電力供給回路１１は、充電電池１２と、充電制御回路１３とによってなる。充電制御回路１３には、パソコン本体のＵＳＢポートに接続して充電するためのＵＳＢコネクタ１４が設けられる。ＵＳＢコネクタ１４は、入力キーボード１０の表面の適切な箇所に露出され、パソコン本体のＵＳＢポートの電源に接続して、充電電池１２の充電を行うことができる。
【００１１】
また、入力キーボード１０を操作する際にパソコン本体と対向する前方縁１５内には、ワイヤレス信号をキーボードのケースから通して送信するためのワイヤレス信号発射装置１６が内蔵される。現在、様々なワイヤレス伝送技術や、それに関連する電気回路技術が開発されており、本発明のワイヤレス信号は、ブルートゥースなどの無線電波通信や、赤外線通信で行う。また、入力キーボード１０の両側は、入力キーボードの中段より縦に長く且つ下方へとアーチ状を呈し且つ前方縁に向かってカーブを描きつつ徐々に幅が小さくなり先端は突出する手持ち部１７、１８を形成し、さらに、キーボードの底部の中央がアーチ状を呈する構造により、片手や両手でキーボードを入力することができるとともに平面に置くこともできる。そして、両手の親指で操作されるキーボードの表面には、最も基本的な機能が割り当てられたキー１９が設けられ、まずキー定義の切り替えキー１９Ａを押して複合キー１９Ｂ、１９Ｃで入力される内容を切り換えることにより、或いは、複数のキーを組み合わせて別のキー制御機能をもたせる方式により、最も少なく最も基本的なキーの数量で、キーが入力できる数字、記号、或いは文字コード等をカバーし、キーボード全体を小さく且つ軽くすることができる。また、キーボード裏側における両手の人差し指や中指が触れる箇所（例えば、キーボード裏側の中央）には、キーボードをひっくり返すことなく指先でパソコンのカーソルを操作するためのフラットポイント２０が設けられ、キー１９でパソコンのカーソルを操作する必要がなくなる。フラットポイント２０は、ワンクリック制御或いは複数クリック制御によって操作することができる。また、手持ち部１７、１８の外側の中央には、弧状に凹んだ支持溝部１７Ａ、１８Ａが設けられ、両手の人差し指や中指で掴むのに、及び両手の人差し指や中指をフラットポイント２０まで伸ばすのに便利である。また、フラットポイント２０における指で操作するのに便利な位置には、パソコンのマウスと同様のスクロール機能領域２３が設けられる。手持ち部１７、１８の前縁には、複数のファンクションキー２１Ａ、２２Ａ、２１Ｂ、２２Ｂと、左クリックキー２１Ｃと、右クリックキー２２Ｃとが設けられる。これらのファンクションキー２１、２２は、パソコンを操作する際に自分でその機能を設定・変更することができるファンクションキーである。また、キー１９の全てのキー面１９Ｄ、１９Ｅ、１９Ｆには薄膜が設けられており、キー面１９Ｄ、１９Ｅ、１９Ｆの表層は電子透光膜であり、特定のキーを押すと全てのキー面１９Ｄ、１９Ｅ、１９Ｆが点灯し、キー面１９Ｄ、１９Ｅ、１９Ｆ上の文字コードや符号が明るくなり、暗い場所で作業する際にキー面１９Ｄ、１９Ｅ、１９Ｆをはっきり見ることができ、正確にキーを押すことができる。なお、点灯を制御する光電子技術は現在発達しており、特定のキーを押されて全てのキー面１９Ｄ、１９Ｅ、１９Ｆが点灯する際の光量を弱くしたり、強くしたりすることができる。
【００１２】
図５に示すように、全ての操作は、キー１９を上に向けて、両手の親指でキー１９を押すことにより行う。図６では、下から上に向かって見たキーボードの裏側を図示しているが、入力キーボードのあらゆる操作は、キーボードを引っくり返して行う必要がない。従って、フラットポイント２０におけるカーソルの制御方向は、キー１９におけるカーソルの制御方向と同じである。人差し指や中指でフラットポイント２０に触れて動かし、さらに、左クリックキー２１や、右クリックキー２２、或いはスクロール機能領域２３も併せて操作することにより、本発明の入力キーボード１０は、従来のキーボードに比べ、パソコン本体３０を遠距離からワイヤレスで操作する際のキーの入力、カーソル移動、及びスクロールが行いやすくなる。なお、本発明は、タブレットパソコン用の入力キーボードであるが、その他のパソコンに適用させることもできる。また、パソコン本体３０のＵＳＢポートの電源に接続されるＵＳＢコネクタ１４をＵＳＢコードでパソコン本体３０と接続することにより、入力キーボード１０の信号（キー１９及びフラットポイント２０の操作信号も含む）を、有線でパソコン本体３０に送信することもできる。
【符号の説明】
【００１３】
１０      入力キーボード    
１１      電力供給回路
１２      充電電池
１３      充電制御回路
１４      ＵＳＢコネクタ
１５      前方縁
１６      ワイヤレス信号発射装置
１７、１８      手持ち部
１７Ａ、１８Ａ  支持溝部
１９      キー
１９Ａ    キー定義の切り替えキー
１９Ｂ、１９Ｃ      複合キー
１９Ｄ、１９Ｅ、１９Ｆ      キー面
２０      フラットポイント
２１Ａ、２２Ａ、２１Ｂ、２２Ｂ      ファンクションキー
２１Ｃ      左クリックキー
２２Ｃ      右クリックキー
２３      スクロール機能領域
３０      パソコン本体
【図１】
2011227801.tif 000003
【図２】
2011227801.tif 000004
【図３】
2011227801.tif 000005
【図４】
2011227801.tif 000006
【図５】
2011227801.tif 000007
【図６】
2011227801.tif 000008